(57)【要約】【課題】ダクト等の配管との干渉を抑え、かつ、取付け作業が容易な壁パネルを提供する。【解決手段】左右に間隔を隔てて縦枠材１ａが配置され、これら縦枠材１ａ間を架設する横枠材１ｂが縦枠材１ａの上下に配設されてパネル枠体１が形成されており、そのパネル枠体１の少なくとも一方の面に面材３が配設された壁パネルにおいて、パネル枠体１の上面の左右両端部には、天井スラブ４まで突出され天井スラブ４と接続固定される天井スラブ取付け凸部２がそれぞれ設けられていることとする。【選択図】図１
2008031655.tif 000002
【特許請求の範囲】
【請求項１】
左右に間隔を隔てて縦枠材が配置され、これら縦枠材間を架設する横枠材が縦枠材の上下に配設されてパネル枠体が形成されており、そのパネル枠体の少なくとも一方の面に面材が配設された壁パネルにおいて、パネル枠体の上面の左右両端部には、天井スラブまで突出され天井スラブと接続固定される天井スラブ取付け凸部がそれぞれ設けられていることを特徴とする壁パネル。
【請求項２】
天井スラブ取付け凸部は、パネル枠体の左右両端の縦枠材が天井スラブまで延設されて形成されてなることを特徴とする請求項１に記載の壁パネル。
【発明の詳細な説明】
【技術分野】
【０００１】
本発明は、壁パネルに関する。
【背景技術】
【０００２】
戸建て住宅や集合住宅では、間仕切壁として、図３に示すような縦枠材１ａと横枠材１ｂとからなるパネル枠体１の表裏面に石膏ボードや化粧合板等の面材３が配設された天井先行用壁パネルが用いられている。左右の縦枠材１ａの間には上下の横枠材１ｂ間を結ぶ中桟１ｄが設けられており、上方の横枠材１ｂには配線ケーブル挿通穴１ｃが設けられている。なお、天井先行用壁パネルとは、たとえば、後述する図４に示したような二重天井方式で天井スラブ４下に天井パネル５が設けられて天井面６があらかじめ形成されている室内空間を仕切るために用いられる壁パネルのことをいう。この天井先行用壁パネルを壁先行で二重床等の床に設置する場合、たとえば、以下の手順で施工される。まず、図４に示すように、パネル枠体１の上方の横枠材１ｂに角材１２をビス等の止具１０で取付け固定し、その角材１２に束材１１下端部を止具１０で固定する。次いで、天井スラブ４に下面開口の角溝状に取付けられた木桟１３に前記束材１１上端部を嵌め込み、床を構成する床下地材８に敷設された断面Ｌ字型等の床ランナー８１で天井先行用壁パネル下端部を受けて固定し立設する。このように、天井先行用壁パネルの床への立設には多くの手順が必要とされ手間がかかっていた。このため、現場ではできるだけ作業を容易なものとし、作業時間を削減することができる壁パネルが望まれていた。これまでにも、たとえば、特許文献１に示すような単位パネルが提案されている。このものは、単位パネルを構成するそれぞれの縦枠の上部を天井スラブまで延長し、天井スラブと接続する上部取付け部材を形成することによって、単位パネルの取付け作業を容易にしたものである。
【特許文献１】特開２０００−２７３９９２号公報
【発明の開示】
【発明が解決しようとする課題】
【０００３】
しかしながら、天井スラブ下にダクト等の配管が敷設された室内を上記の単位パネルで仕切る場合、単位パネルを構成するそれぞれの縦枠が配管と干渉してしまい、その取付け作業に手間がかかってしまう場合があった。
【０００４】
本発明は、以上の通りの事情に鑑みてなされたものであり、ダクト等の配管との干渉を抑え、かつ、取付け作業が容易な壁パネルを提供することを課題とする。
【課題を解決するための手段】
【０００５】
本発明の壁パネルは、上記の課題を解決するために、以下のことを特徴としている。
【０００６】
第１に、左右に間隔を隔てて縦枠材が配置され、これら縦枠材間を架設する横枠材が縦枠材の上下に配設されてパネル枠体が形成されており、そのパネル枠体の少なくとも一方の面に面材が配設された壁パネルにおいて、パネル枠体の上面の左右両端部には、天井スラブまで突出され天井スラブと接続固定される天井スラブ取付け凸部がそれぞれ設けられていることを特徴とする。
【０００７】
第２に、上記壁パネルにおいて、天井スラブ取付け凸部は、パネル枠体の左右両端の縦枠材が天井スラブまで延設されて形成されてなることを特徴とする。
【発明の効果】
【０００８】
上記第１の発明によれば、パネル枠体の上面の左右両端部に天井スラブ取付け凸部が設けられていることにより、ダクト等の配管との干渉を抑え、かつ、天井スラブへの取付け作業を容易なものとすることができる。
【０００９】
上記第２の発明によれば、天井スラブ取付け凸部を別体として縦枠材の上端部に取付ける手間を省くことができるため、作業時間を削減することができ、より一層壁パネルの取付け作業を容易なものとすることができる。
【発明を実施するための最良の形態】
【００１０】
図１（ａ）は本発明の壁パネルの一実施形態を示した端面図であり、（ｂ）は正面図である。
【００１１】
本発明の壁パネルは、図１（ａ）（ｂ）に示すように、左右に間隔を隔てて木製の角材よりなる縦枠材１ａが配置され、これら縦枠材１ａ間を架設する木製の角材よりなる横枠材１ｂが縦枠材１ａの上下に配設されてパネル枠体１が形成されている。左右の縦枠材１ａの間には上下の横枠材１ｂ間を結ぶ中桟１ｄが設けられており、上方の横枠材１ｂには配線ケーブル挿通穴１ｃが設けられている。この配線ケーブル挿通穴１ｃは、たとえば、本発明の壁パネルにコンセント、スイッチ等の配線器具を配設する場合に天井から配線ケーブルを壁パネル内に導くために設けられているもので、配線器具の位置や配線工事の作業性等を勘案して、横枠材１ｂの適宜の位置に設けられるものである。
【００１２】
パネル枠体１の表裏面には石膏ボードや化粧合板等の面材３が配設され、パネル枠体１からはみ出さないように面材３の周縁部が縦枠材１ａおよび横枠材１ｂと略面一になっている。なお、この面材３は、現場でのキャビネットやキッチンユニット等の据付工事や壁パネルの配線器具取付け工事等の施工状態によって、一方の面材３をはがしたり、面材３の一部を切り欠いたりする場合もある。
【００１３】
パネル枠体１の上方の横枠材１ｂの上面の左右両端部には、天井スラブ４まで突出され、天井スラブ４と接続固定される天井スラブ取付け凸部２がそれぞれ設けられている。これら天井スラブ取付け凸部２間のピッチは、一般的なパネル枠体の規格を受けて最大で約９１０ｍｍとなる。天井スラブ取付け凸部２の形状および材質は、天井スラブ４に取付け固定できるものであればよく、特に制限されるものではない。たとえば、天井スラブ取付け凸部２としては、図１に示すような木製の角材であってもよく、この天井スラブ取付け凸部２はその側端面から斜め下方向にネジ等の止具（図示なし）を打設することで横枠材１ｂに固定される。別の天井スラブ取付け凸部２の例としては、パネル枠体１の両端の縦枠材１ａを天井スラブ４まで延設させ、この延設した部分を天井スラブ取付け凸部２としてもよい。この場合には、天井スラブ取付け凸部２を別体として上方の横枠材１ｂ上面の左右両端部に取付ける手間がなくなるため、作業時間の削減が図れ、結果として取付け作業をより一層容易なものとすることができる。
【００１４】
本発明の壁パネルは、壁先行で設置される。たとえば、図２は本発明の壁パネルを二重床に壁先行で立設した施工例である（（ａ）は正面図であり、（ｂ）は（ａ）のＡ−Ａ断面図である）。なお、図１に示した部分と同一の部分については同じ符号を付し、説明を省略する。
【００１５】
この施工例では、パネル枠体１の両端の縦枠材１ａの上端部を天井スラブ４まで延設させ、この延設した部分を天井スラブ取付け凸部２とした壁パネルを用いている。
【００１６】
二重床は、コンクリート下地等よりなる床スラブ７上に、防振材付きの木製脚体、金属製脚体等よりなる支持脚７１を介して、合板等の床下地材８を支持して形成されている。床下地材８の上には、本発明の壁パネルを立設するための断面Ｌ字型の木材、金属等よりなる床ランナー８１が敷設されている。また、この床ランナー８１に対応する天井ランナー４１が、床ランナー８１の直上の位置のコンクリート下地等よりなる天井スラブ４下に敷設されている。この天井ランナー４１は、木材、金属等により下面開口の角溝状に形成されている。また、天井スラブ４下には、ダクト等の配管Ｄが配設されている。
【００１７】
この施工例では、天井スラブ取付け凸部２を天井ランナー４１に嵌め込んだ後、壁パネルの下端部を床ランナー８１で受けて二重床上に壁パネルを立設している。壁パネルを立設した後は、壁パネルの下端部に常法に従って幅木を設け、木質単板等の床仕上材９を床下地材８に配設する。
【００１８】
以上のようにして立設された壁パネルには、現場において配線器具が取り付けられるが、そのための配線ケーブルを壁パネルの内部に落とし込む必要がある。本発明の壁パネルは、上方の横枠材１ｂに前述と同様の配線ケーブル挿通穴が設けられており、この配線ケーブル挿通穴を介して配線ケーブルを壁パネルの内部に落とし込んでいる。
【００１９】
また、この施工例では、壁パネルを二重床に立設した後に二重天井方式の天井面６が形成される。たとえば、天井スラブ４下に吊設された吊材４２を介して、天井パネル５を吊り下げ支持することで実現される。この吊材４２は壁パネルを挟持するように配設されており、吊材４２に止具を打設し、面材３を介して縦枠材１ａまたは横枠材１ｂまで至るようにすることで吊材４２と壁パネルとを固定している。天井パネル５と壁パネルとの取り合い部分には、常法に従って天井廻り縁が設けられていてもよい。
【００２０】
この施工例では、壁パネルの天井スラブ４への取付け作業が角溝状の天井ランナー４１に嵌め込むのみであるため、より簡便に壁パネルを立設することができる。さらに、壁パネルにおける左右の天井スラブ取付け凸部２間のピッチが最大で約９１０ｍｍになるなどその間隔が大きいため、壁パネルの立設に際して天井スラブ４下に配設された配管Ｄとの干渉を抑えて、支障なく壁パネルを立設することができる。
【００２１】
また、以上の壁パネルは、たとえば、図２に示すように、壁パネルの右端の縦枠材１ａと別の壁パネルの左端の縦枠材１ａとが接するように二重床上に併設させることで間仕切壁を形成することができる。
【００２２】
上述の実施形態においては、二重床、二重天井に壁パネルを施工する実施形態を例示したが、汎用されている通常の床、天井においても同様に実施できることはもちろんである。
【図面の簡単な説明】
【００２３】
【図１】（ａ）は本発明の壁パネルの一実施形態を示した端面図であり、（ｂ）は（ａ）のＡ−Ａ断面図である。
【図２】本発明の壁パネルを壁先行で二重床に立設した施工例である（（ａ）は正面図であり、（ｂ）は（ａ）のＡ−Ａ断面図である）。
【図３】従来の壁パネルの斜視図である。
【図４】従来の壁パネルを壁先行で二重床に立設した施工例である（（ａ）は正面図であり、（ｂ）は（ａ）のＡ−Ａ断面図である）。
【符号の説明】
【００２４】
１  パネル枠体
１ａ  縦枠材
１ｂ  横枠材
２  天井スラブ取付け凸部
３  面材
４  天井スラブ
【図１】
2008031655.tif 000003
【図２】
2008031655.tif 000004
【図３】
2008031655.tif 000005
【図４】
2008031655.tif 000006